Podtech/llm-jp-corpus-v4-ja_patent huggingface dataset:
(57)【要約】      （修正有）【課題】衣服を洗濯する時に羽毛部を取り外して洗濯する事ができ、また、装着する枚数を変える事や羽毛の挿入量が異なる羽毛部を装着することにより、衣服を着た際の温度調節ができるようにする。【解決手段】羽毛入り衣服の羽毛部を脱着可能にするため、二枚構造からなる衣服本体部と羽毛が挿入された羽毛部とを分離する。また、衣服の衣服本体部と羽毛部を固定し脱着するために、羽毛部には一定間隔で脱着用の穴を設け、衣服本体部には羽毛部の穴と固定するためのボタン、ホック、紐、面ファスナー等をつける。【選択図】図１
2012229498.tif 000002
【特許請求の範囲】
【請求項１】
羽毛入り衣服の羽毛部を脱着可能にするため、二枚構造からなる衣服本体部と羽毛が挿入された羽毛部を分離し脱着可能とすること。
【請求項２】
衣服の衣服本体部と羽毛部を固定し脱着するために、羽毛部には一定間隔で脱着用の穴を設け、衣服本体部には羽毛部の穴と固定するためのボタン、ホック、紐、面ファスナー等をつける事。
【発明の詳細な説明】
【技術分野】
【０００１】
本発明は衣服であり、脱着可能な羽毛部とそれを脱着可能な衣服に関するものである。
【背景技術】
【０００２】
衣服には保温のため、綿などを挿入しているものがある。シャツなどの上にはおり、着用し保温するためには十分であった。
【０００３】
しかし、気温の低い屋外、省エネルギー等のために気温を下げた室内などでは十分に保温できないとう欠点があった。
【０００４】
コートなどで内側に脱着式の保温素材を備えた物があるが、体感温度の微調整は出来なかった。
【０００５】
この解決策として綿などに替え、羽毛を挿入した衣服がある。しかし、気温や体感温度の変化など、環境に応じて羽毛量の調節をする事が出来ないという欠点があった。  
【０００６】
羽毛入り衣服は、空気を含んだ構造上丸洗いをする時、様々な工夫をする必要や羽毛の品質が落ちる欠点があった。
【先行技術文献】
【特許文献】
【０００７】
【特許文献１】特開２００５−１９４６４９号公報
【発明の概要】
【発明が解決しようとする課題】
【０００８】
解決しようとする問題点は、衣服が環境に応じて保温素材の微調整が出来ない点、衣服を洗濯する時に羽毛も同時に丸洗いせざるを得ない点である。
【課題を解決するための手段】
【０００９】
本発明は、衣服の羽毛部とそれを覆う衣服本体部を分離し脱着可能とした。羽毛部は、羽毛が飛び出すことがない布に封じ込められている。衣服本体部は、羽毛部を挟み込む構造とする。羽毛部には衣服本体部と固定するための穴を一定間隔で空ける。衣服本体部は、からだに触れる内側と表に出る外側の二枚からなり、その間に羽毛部を挟み込む。衣服本体部には、羽毛部の穴位置に合わせ、ボタン、ホック、紐、面ファスナー等をつける事により羽毛部と衣服本体部を固定する事が出来る。保温力を高めたいときには、羽毛部を二枚重ねにして装着したり羽毛の挿入量が異なる羽毛部を装着することができる。衣服本体部を二枚構造とし、その間に羽毛が挿入された羽毛部をはさみ、羽毛部に空けた穴により固定し脱着可能にしたことを最も主要な特徴とする。
【発明の効果】
【００１０】
本発明の衣服は、羽毛が挿入された羽毛部と二枚構造の衣服本体部からなり、衣服本体部に羽毛部をはさみ、羽毛部が衣服本体部のボタン、ホック、紐、面ファスナー等により固定し脱着可能である。その機構により、以下の３点の効果がある。その１、羽毛部の枚数を増減したり羽毛の挿入量が異なる羽毛部を装着することにより衣服の保温力を調整できる。その２、衣服本体部を二枚構造にし羽毛部を挟む事により、からだに触れる部分は、羽毛部の羽毛が挿入された専用生地が直接触れることはなく、衣服本体部の生地が触れるため、衣服本体部には羽毛専用の生地ではない肌触りの良い生地を選択できる利点がある。その３、羽毛を用いた従来衣服は、洗濯時には羽毛を含めたすべてを丸洗いしなければならないため、洗濯により羽毛の品質劣化が避けられなかった。本発明の衣服は羽毛部を脱着可能としているため、羽毛以外の衣服本体部のみ洗濯する事が可能で、衣服を清潔に保ちかつ、羽毛の品質の劣化を防ぐことが可能となるという利点がある。
【図面の簡単な説明】
【００１１】
【図１】図１は羽毛部を衣服本体部に装着した全体図である。（実施例１）
【図２】図２は羽毛部固定用のボタンを備えた衣服本体部と羽毛部を装着した断面図である。（実施例２）
【図３】図３は羽毛部全体と衣服本体部固定用の穴を示した説明図である。（実施例３）
【発明を実施するための形態】
【００１２】
衣服を二枚構造の衣服本体部と羽毛を挿入した羽毛部からなる構造とした。衣服本体部には固定用のボタン、ホック、紐、面ファスナー等を装着し、羽毛部には固定用の穴を設けるける事で、衣服本体部と羽毛を挿入した羽毛部を固定し脱着可能とすることを実現した。
【実施例１】
【００１３】
図１は、本発明の衣服の図であって、衣服本体部は二枚構造で、その間に羽毛が挿入された羽毛部を挟む。衣服本体部のボタン、ホック、紐、面ファスナー等をインナー部の穴と固定し脱着を可能にする。
【実施例２】
【００１４】
図２は、本発明の衣服の衣服本体部の外側と内側、羽毛部の固定方法を断面図で示した図である。
【実施例３】
【００１５】
図３は、本発明の衣服の羽毛部の図であり、衣服本体部との固定用の穴により脱着することが出来る。
【産業上の利用可能性】
【００１６】
外着、シャツ、寝間着、靴下、靴、レッグウォマー、腹巻き、マフラー、ベスト、スカート、ズボン、帽子、まくら、布団等に適用できる。
【符号の説明】
【００１７】
１１                      衣服本体部の羽毛部固定用ボタン等
２ａ、２ｂ                衣服の断面
２１、２２、２３、２４    衣服本体部と羽毛部の固定部分
３１                      羽毛部の衣服本体部を固定するための穴
【図１】
2012229498.tif 000003
【図２】
2012229498.tif 000004
【図３】
2012229498.tif 000005
(57)【要約】【課題】食事時等の衣類の汚れを防ぐ為、必要な所に小さく、簡単に装着できる簡易エプロンを提供する。【解決手段】図１のように、複数の接着箇所を横断して剥離紙を貼り、かつ、その剥離紙をテープの接着箇所両端部より更に延長させる事により剥離紙のみの部分（『みみ』の部分）を作り、この『みみ』の部分を剥がす１動作で複数の接着面を１度に露出させる事が出来るようにした事を特徴とする簡易エプロン。【選択図】図１
2012229514.tif 000002
【特許請求の範囲】
【請求項１】
食事時等の汚れ防止を目的とする簡易エプロンにおいて、簡易エプロンの裏面に複数の接着箇所を横断するように剥離紙を貼り、かつ、その剥離紙を接着面の両端部より更に延長する事により、剥離紙のみの部分を設け、この部分を剥がす１動作で、複数の接着面が露出するように構成した簡易エプロン。
【発明の詳細な説明】
【技術分野】
【０００１】  本発明は、食事時等の衣類の汚れを防ぐ為の簡易エプロンに関するものである。
【背景技術】
【０００２】食事時や歯磨き時に汁や唾液が飛散しワイシャツや衣類が汚れ、衣類を着が替えたり、洗濯する必要があった。一方、この種の従来品は、紐を首に回し、使用者の前面を大きくカバーするものであり、汚れ防止の必要な箇所のみに簡単に取り付けで使えるタイプでは無かった。
【先行技術文献】
【０００３】
【実用新案】
：実用新案出願平５−７１７５６（公開１９９５年６月１３日）
【発明の概要】
【発明が解決しようとする課題】
【０００４】上記実用新案出願平５−７１７５６に示されているように、エプロンの裏面に粘着部を設け汚れ保護が必要な箇所のみを保護するアイデアは、従来より有ったが、実際には、下記問題点が有った。
１．接着部（実際には、両面テープ）の剥離紙と粘着材間の境目を、爪もしくは、ナイフ等で剥離紙のみを剥がす事は、大変困難であった。
時には、粘着部自体を、エプロンから剥がしてしまう事も多く、とても容易に使える技術では無かった。
２．エプロン裏面に接着箇所が、２箇所あり、２箇所の剥離紙を使用者が苦労して各々剥がす必要があった。
３．エプロンの使い勝手を追求すると、より多くの接着箇所が必要であったが、上記２項の理由から従来技術の使用は困難で有った。
本発明は、以上の問題点を解決するものである。
【課題を解決するための手段】
【０００５】図１のように、複数の接着箇所を横断して剥離紙を貼り、かつ、その剥離紙をテープの接着箇所両端部より更に延長させる事により、剥離紙のみの部分（『みみ』の部分）を作り、食事時等の汚れ防止を目的とする簡易エプロンにおいて、この『みみ』の部分を引き剥がす１動作で、複数の接着面を簡単に露出させるようにした。
以上の構成よりなる簡易エプロン。
【発明の効果】
【０００６】従来のように複数個所のテープの剥離紙を１個１個剥がす面倒な作業が、本発明により、この『みみ』の部分を引き剥がす簡単な１動作で複数の接着面を１度に露出させる事が出来るようになり。また、剥離紙形状が大きくなる事により、占い等の使用者の興味を引く内容をその剥離紙上に印刷し、本簡易エプロンの使用を更に促進する事が出来る様になった。
【図面の簡単な説明】
【０００７】
【図１】接着部の構造
【図２】剥離紙を外したエプロンの全体図
【図３】エプロンを４つに折りたたんだ形状
【図４】エプロン装着図
【発明を実施するための形態】
【０００８】以下、本発明の実施の形態を説明する。
食事時等の汚れ防止を目的とする簡易エプロンにおいて、簡易エプロンの裏面に複数の接着箇所（図中２）を設け、その接着箇所を横断するように剥離紙（図１中１）を貼り、かつ、その剥離紙を接着面の両端部より更に延長し、剥離紙のみの部分（『みみ』の部分、図１中４））を設ける。エプロンを４つ折にしている場合は、図３のようになる。
本発明装着時には、図３のように小さく４つに折りたたまれている本発明の『みみ』の部分を手で引っ張り剥がし、この１動作で複数の接着を、容易に露出させ、図２のように広げ、図４のように取り付する。
【符号の説明】
【０００９】１．剥離紙
２．接着剤
３．エプロン素材
４．みみ  の部分。
５．接着部
【図１】
2012229514.tif 000003
【図２】
2012229514.tif 000004
【図３】
2012229514.tif 000005
【図４】
2012229514.tif 000006
(57)【要約】      （修正有）【課題】見た目に良く、邪魔にならないユニットバス等のシャワーホースを提供する。【解決手段】シャワーホース３をユニットバス６等の室外に収納する。ホースをスムーズに室外に導くために、ホースを伸縮する管の中に通し、その管が上下出来るように前の部分にスリットの入った手摺等の中に収納する。【選択図】図１
2012229596.tif 000002
【特許請求の範囲】
【請求項１】
ユニットバス等のシャワーホースをユニットバス等の室外に収納する。
【請求項２】
請求項１の方法として、シャワーホースを伸縮する管の中に通し、その管が上下出来るように前面の一部に縦にスリットを入れた手摺等の管の中に入れる。
【発明の詳細な説明】
【発明の概要】
【発明が解決しようとする課題】  現在のユニットバス等のシャワーホースは、シャワーホールダーからぶらさがり見た目にもよくないし、また邪魔であります。
【課題を解決しようとする手段】
このため、余分なシャワーホースをユニットバス等の外部に収納し内部からは、見えないようにする。ホースをスムーズに外部に導くために手摺等の中に伸縮自由な管を入れ、その中にホースを入れ余分な部分を外部に導く。
【発明の効果】
このように、余分でたるんだホースを室外に収納することにより、邪魔でなくなり、見た目にも良く室内がすっきりとまとまります。また室外に収納することにより、ホースを長くとることが出来、浴室が広い場合でも掃除をする時隅々までシャワーが届き流せるようにます。
【図面の簡単な説明】
【図１】は、浴室の断面図である。
【図２】は、伸縮管の断面図である。
【図３】は、手摺の断面図である。
【図１】
2012229596.tif 000003
【図２】
2012229596.tif 000004
【図３】
2012229596.tif 000005
(57)【要約】【課題】  災害時必要となる飲用水の確保を効果的に行う為の非常用飲用水貯水システム。【解決手段】  外部水道水供給管は、に接続しジグザグ状配管貯水部３から水道蛇口接続口５までが通常は流水状態であるが外部水道水の供給が停止すると逆止弁（チャッキ弁）６により給水管接続口４から水道蛇口接続口５までのグザグ状配管貯水部３に貯水する当該グザグ状配管貯水部３の飲用水は給水管接続口４近くに設けた給水コック７より手動ポンプ８で取水し飲用する。【選択図】図２
2012229597.tif 000002
【特許請求の範囲】
【請求項１】
住居キッチン台部に於いて、空間となっているキッチン下部台輪部内部、シンク下内部及び調理スペース下部内部に、非常用飲用水の貯水部を設けた事を特徴とする非常用飲用水貯水システム。
【請求項２】
非常用飲用水を、キッチン台部を設置した床下に、貯水部を設けた事を特徴とする請求項１記載の非常用飲用水貯水システム。
【請求項３】
前記記載の請求項１及び２に於いて、飲用貯水部の水は、常に水道水使用に水流となるパイプ形状の貯水タンクである事を特徴とする請求項１及び２記載の非常用飲用水貯水システム。
【発明の詳細な説明】
【技術分野】
【０００１】本発明は、住居に於ける非常用飲用水貯水システムに間するものである。
【背景技術】
【０００２】災害対策として、防災用品、食料、飲料水、日用品等の備蓄は、各関連機関を通し対策はとられ、各家庭でも最低で３日間程度の非常用食料、飲料水等の確保は必要とされている。【０００３】中でも飲用水の確保は最重要であり、ペットボトルでの保存、又は保存用タンクの設置を家庭で行うなどの対策が取られている場合もある。【０００４】しかしペットボトル及びタンクでの飲用水の保存には数々の問題点がある。いずれの場合も保存保管スペースが必要となり、その保管スペースが家庭内である場合が多いため、通常、そのスペースは利用できない事になる。又飲用水ペットボトル等の買いだめは良くない社会現象でもある。【０００５】又、その災害の状況によっては家屋等の損傷も考えられ、飲用水を保管したペットボトル又はタンク等の破損、紛失等が予想される。さらに保存飲用水とはいえ、長期間の保存貯水は流水とは異なり、けっして衛生的とは言えず万一の際飲用水として役に立たない事もあり得る。飲用水は生命維持に重要であり、災害等の非常時には衛生が保たれた状態で供給されなければならない。
【発明の開示】
【発明が解決しようとする課題】
【０００６】非常用飲用水の貯水及び確保を、家屋に特別な保管スペースを設ける事なく貯水し、長期に保存しても飲用水の衛生が確保され、災害時に起こり易い家屋倒壊等による保存飲用ボトル、タンクの破損紛失等が少ない貯水設置場所を設ける必要がある。
【課題を解決する手段】
【０００７】本発明は、家屋内のキッチンスペースに於いて、キッチン台下部、台輪部、及びシンク下内部、又調理スペース下部内部は通常使用しない空間スペースを利用し、当該空間スペースにジグザグ状の配管を設置し貯水タンクとする。
【０００８】又前記と同様の目的のため床下収納スペース近辺に配管を円柱状に巻き設置する事で貯水タンクとする事も可能にしている
【０００９】又、貯水タンクとしての配管は家屋の給水配管と給湯設備又蛇口との間に設ける為、常に流水状態が保たれ、保存水と異なり衛生問題は起こらない。
【００１０】又、災害時、家屋倒壊等の場合でも、シンクの箱部で瓦礫を受けるため配管状貯水部分は破壊されにくい、火災を想定した場合も床下部分になる為、全焼しなければ確保される部分であり、前記したボトルやタンクに比べ格段に損傷、紛失は少ない
【発明の効果】
【００１１】本発明の非常用飲用水貯水システムは流水効果による衛生管理が出来、特別な設置場所を必要とせず、破壊されにくいシンク箱部の効果的な空きスペースの利用により効率的な非常用飲用水貯水システムが構築できる。
【図面の簡単な説明】
【００１２】
【図１】非常用飲用水貯水部を設けたキッチン台を示す正面断面図。
【図２】非常用飲用水貯水部を設けたキッチン台を示す側面断面図。
【図３】非常用飲用水貯水部を設けたキッチン台を示す底部平面図。
【図４】非常用飲用水貯水部を床下に設けた場合を示す底部平面図。
【図５】ジグザグ状配管貯水部にヘッダーを使用した場合を示す構成図。
【発明を実施するための形態】
【００１３】本発明の構成を図１〜図５に依って説明する。
キッチン台１下部、及びシンク部１４下内部、又調理スペース１６下内部にそれぞれ配管スペース２を設け当該配管スペース２にジグザグ状配管３を設け給水管接続口４、水栓蛇口接続口５を配管の両端に設ける。又前記給水管接続口４近辺に逆止弁（チャッキ弁）６を設け非常時の飲用水の流出を確保すると共に給水コック７と手動ポンプ８を設け、非常時の貯水の出水に使用する。前記したキッチン台１下部に設置したジグザグ配管３の貯水スペース２には、結露防止及び凍結防止ため断熱材９で、当該ジグザグ配管３を囲い保護するように構成している。
【００１４】又、前記と同様の目的のため床下部における貯水に於いては、軟性ポリエチレン管１０を縦状の筒に巻き貯水する。この場合、給水コック７を最下部とし、給水管接続口４を最上部に設け、非常時の貯水の出水を容易にする。
【実施例】
【００１５】本発明の実施例を図１〜図５に依って説明する。
外部よりの水道水供給管は、給水管接続口４に接続されジグザグ状配管３を経由し、水栓蛇口接続口５より水栓蛇口へと通常の場合には飲用水は流れ出水される。【００１６】災害時飲用水の外部供給が止まり断水した場合逆止弁（チャッキ弁）６の操作により水栓蛇口接続口５までの配管貯水は流出する事なく一般家庭キッチンサイズでおよそ１０数リットルは貯水される。当該配管に貯水された飲用水は断水前まで流水状態であり衛生状態には問題はなく利用できる状態にあり配管部に設けられた給水コック７より手動式ポンプ８の使用で取水し飲用水として供給できる。【００１７】ジグザグ状配管３の折り返し部はＵ字管１２を使用するが他に同様の目的で一般的に使用されているヘッダー１３で同様の目的を達する事が出来る。
【符号の説明】
【００１８】１：キッチン台
２：貯水スペース
３：ジグザグ状配管
４：給水管接続口
５：水栓蛇口接続口
６：逆止弁（チャッキ弁）
７：給水コック
８：手動式ポンプ
９：断熱材
１０：軟性ポリエチレン
１１：床
１２：Ｕ字管
１３：ヘッダー
１４：シンク
１５：床下収納部
１６：調理スペース
１７：排水口
【図１】
2012229597.tif 000003
【図２】
2012229597.tif 000004
【図３】
2012229597.tif 000005
【図４】
2012229597.tif 000006
【図５】
2012229597.tif 000007
(57)【要約】      （修正有）【課題】常温で硬化した後水分と反応し、その表面に親水性を持ち、この親水効果により汚れが水で落ちやすくなるコート剤を提供する。【解決手段】光触媒二酸化チタンの特徴である親水性を特定の紫外線を含む可視光をほとんど必要としないで、親水性を発揮し防汚効果を出す組成物の素材の合成方法であり、組成物が、シランカップリング剤とポリエチレングリコールとメタクリル酸メチル、エタノール、と水、メチルアミンから調製される。【選択図】なし【特許請求の範囲】
【請求項１】
光触媒二酸化チタンの特徴である親水性を特定の紫外線を含む可視光をほとんど必要としないで、親水性を発揮し防汚効果を出す素材の合成方法。
【請求項２】
合成した素材のポリエステルを含む、合成ゴム、高分子ポリマー等の素材へのコーティング若しくは練りこみ。
【請求項３】
請求項１の素材とは、シランカップリング剤とポリエチレングリコールとメタクリル酸メチルの他エタノール、と水、メチルアミンである。か
【発明の詳細な説明】
【発明の詳細な説明】
【技術分野】
【０００１】本発明は、光触媒の紫外線及び可視光に反応して親水性を出す機能を、シランカップリング剤とポリエチレングリコールとメタクリル酸メチルの合成により、常温で硬化した後水分と反応し、その表面に親水性を持つ。この浸水効果により汚れが水で落ちやすくなる。
【背景技術】
【０００２】従来光触媒は紫外線を含む可視光等の光を必要とした。しかしこの技術は光の無い所では効果が出ず限られた場所でしか使用できなかった。又光を必要としないでの親水性効果で有名な物はカタツムリの殻で知られている親水性を発揮する溝である。【０００３】
【発明が解決しようとする課題】
【０００４】本発明は光触媒の親水性でもなく、表面の溝でもない。シランカップリング剤とポリエチレングリコールの特徴を応用し、常温で硬化した後の表面に親水性を発揮させ透明で常温で硬化するコート剤である。
【課題を解決するための方法】
【０００５】１、水  ２、エタノール３、Ａ溶剤  ４、ポリエチレングリコール（分子量２００〜４００  ５、Ｂ溶液  ６、Ｃ溶剤  を用意する。
【０００６】Ａ溶剤の製法
１、水６５〜７５％  ２、エタノール２〜４％  ３、０，１〜０，２ｍｏｌ塩酸  ４、テトラエトキシシラン  １８〜２５％  １、〜４までを混ぜ６０℃〜６５℃で３０分撹拌後、ステンレス容器で密封し１２０℃で９０分置き水で冷やす。
【０００７】Ｂ溶剤の製法
１、    メタクロキシシラン（カップリング剤）０，２〜０，３％溶液を６０℃で６０分保温した後、室温まで冷やし２４時間置く
２、    メチルアミン１〜２％添加し１０分撹拌
【０００８】Ｃ溶剤の製法
１、    アミノシラン  ０，８〜１，０％溶液を４８℃〜５２℃で３０分  Ｐｈ１０が望ましい
【００９】１、有機系コート剤の製法［０００７］の１〜４までを混ぜ６０℃で６０分撹拌後冷却
２、    Ａ溶剤にメタクリル酸メチル０，７２〜０，７７％
過酸化ベンゾイル０，００５８〜０，００５９％混ぜ６５℃で６時間撹拌
３、    メチルアミン１〜１，５％を入れ１０分撹拌
４、    Ｃ溶剤を０，５〜０，７％混ぜ５５〜６３℃で３０分撹拌
以上で有機系親水性コート剤の完成  Ｐｈは７，４〜７，８が好ましい。
【００１０】無機系コート剤の製法
１、０００７】の１〜４までを混ぜ６０℃で６０分撹拌
２、Ｂ溶剤０，２％を混ぜ６０℃で６０分撹拌後室温まで冷却２４時間置く
３、メチルアミン１〜１，５％を入れ１０分撹拌
４、Ｃ溶剤０，７２〜０，８４％混ぜ５０℃で３０分撹拌
Ｐｈ１０が望ましい。
【発明を実施するための形態】
【００１１】実施例１：無機系コート剤はガラスやタイルの表面に塗布、常温で乾燥硬化し光が無くても親水性を出す頃が出来る。
【００１２】実施例２：有機系コート剤は、ポリカーボナイトやアクリルなど樹脂への塗布に適している。効果は無機系と同じ。
【００１３】実施例３：有機系コート剤をポリエステル繊維にコーティングした物で人工血管を作れば、親水性の効果により血栓が付きにくい素材が出来る。又コーティングではなく素材に練りこむ方法も考えられる。
【発明の効果】
本発明のコート剤は、外壁に塗布した場合その親水性により防汚効果を発揮できるが、光が当たらない所でも、水をかければ親水性により防汚効果を発揮できる。このことによりトンネル内、屋内のガラスや鏡等への施工範囲が広がることとなる。
［００１３］に提示したように、医療分野への応用範囲がひろがる物と思われる。
(57)【要約】【課題】本発明の携帯電子機器の表示部構造は、発光体と筐体表面の距離が離れている場合でも、防水と防塵機能を確保し、かつ発光体の光をレンズ部を介して筐体表面から確実に認識できるように集光し、更にレンズ部の取り付けが容易であることを目的とする。【解決手段】本発明の携帯電子機器の表示部構造は、発光部と、発光部の光を外部に導くためのレンズ部とを備え、レンズ部は防水用凸部と傾き防止用凸部とを有することを特徴とする。【選択図】  図２
2012238954.tif 000002
【特許請求の範囲】
【請求項１】
発光部と、該発光部の光を外部に導くためのレンズ部とを備え、
前記レンズ部は、防水用凸部と、傾き防止用凸部とを有することを特徴とする携帯電子機器の表示部構造。
【発明の詳細な説明】
【技術分野】
【０００１】
本発明は、携帯電子機器の表示部構造に関し、特に発光部からの光を外部に導くためのレンズ部の形状および取付け構造に関するものである。
【背景技術】
【０００２】
従来、Ｖ字溝の斜面により発光体からの光が出射面端部方向へ屈曲させていたため、全方向からの視認性が向上し、出射面を２面にする必要が無いため、防水構造を容易にしていた（例えば、特許文献１参照。）。
【先行技術文献】
【特許文献】
【０００３】
【特許文献１】特開２００４−３０９６２９号公報
【発明の概要】
【発明が解決しようとする課題】
【０００４】
本発明の携帯電子機器の表示部構造は、発光体と筐体表面の距離が離れている場合でも、防水と防塵機能を確保し、かつ発光体の光をレンズ部を介して筐体表面から確実に認識でき、更にレンズ部の取り付けが容易であることを目的とする。
【課題を解決するための手段】
【０００５】
本発明の携帯電子機器の表示部構造は、発光部と、発光部の光を外部に導くためのレンズ部とを備え、レンズ部は防水用凸部と傾き防止用凸部とを有することを特徴とする。
【発明の効果】
【０００６】
本発明によれば、発光体と筐体表面の距離が離れている場合でも、防水と防塵機能を確保し、かつ発光体の光をレンズ部を介して筐体表面から確実に認識できるように集光し、更にレンズ部の取り付けが容易である携帯電子機器の表示部構造である。
【図面の簡単な説明】
【０００７】
【図１】本発明の一実施例である携帯電子機器の外形を説明するための正面図である。
【図２】本発明の一実施例である携帯電子機器にレンズ部を取り付けた時のＡ−Ａ断面図である。
【図３】本発明の一実施例である携帯電子機器のレンズ部と、フロントカバーのレンズ部取付け部分の断面図である。
【発明を実施するための最良の形態】
【０００８】
本発明の一実施例である携帯電子機器の表示部構造について、図１〜図３を用いて説明する。図１は本発明の一実施例である携帯電子機器の外形を説明するための正面図である。
図１において、携帯通信機１は、携帯電話や構内無線端末機等であり、表示部２を備えている。
【０００９】
次に、本発明の一実施例である携帯電子機器の表示部構造について、図２を用いて説明する。図２は本発明の一実施例である携帯電子機器１にレンズ部７を取り付けた時の図１のＡ−Ａ断面図である。
【００１０】
図２において、４は携帯通信機１のフロントカバーであり、５は発光体であり、３は発光体５を取り付けるプリント基板であり、７は発光体５の光を外部に導くためのレンズ部である。そして、８はレンズ部１の防水および防塵のための防水用凸部である。
【００１１】
レンズ部７は、フロントカバー４の内側から挿入し、防水用凸部８で嵌合する構造である。
プリント基板３は、レンズ部７をフロントカバー４に挿入してから取付ける。または、レンズ部７をプリント基板３に取付けてからフロントカバー４に挿入する。
【００１２】
図３は本発明の一実施例である携帯電子機器１のレンズ部７と、フロントカバー４のレンズ部取付け部分の断面図である。
図３において、１０は傾き防止用凸部である。
【００１３】
レンズ部７は、防水用凸部８と、傾き防止用凸部１０を一体成型で作製している。レンズ部７の材質は、例えばシリコンゴムである。
防水用凸部８は、フロントカバー１と嵌合時に防水および防塵の機能を発揮するため、レンズ部７の周囲を凸部としている。
【００１４】
傾き防止用凸部１０は、レンズ部７をフロントカバー４に挿入時、レンズ部７の傾きを防止するための凸部である。傾き防止用凸部１０は、レンズ部７の周囲に３個以上配置または１周に配置することにより、レンズ部７の傾きを防止できる。
【００１５】
レンズ部７は、材質がシリコンゴムの場合、材質が軟らかいため、フロントカバー４に挿入時、変形した状態で組み込んでしまう可能性がある。
このため、フロントカバー４は、レンズ部７の取付け位置に周囲壁を設けることにより、レンズ部７の挿入時の変形を防止することができる。
【００１６】
フロントカバー４が樹脂成型品の場合は、周囲壁を設けるのに金型の抜きテーパが必要となるが、この傾きにレンズ部７の傾き防止用凸部１０を設けることにより、更にレンズ部７の傾きを防止でき、かつ取付け作業性の向上も図れる。
【００１７】
傾き防止用凸部１０の位置は、レンズ部７の全長に影響される。この影響を考慮した傾き防止用凸部１０の最適な位置の算出式（式１）は下記となる。Ｌは抜きテーパ始まり位置からプリント基板３までの長さであり、Ａは抜きテーパ始まり位置から傾き防止用凸部１０の遠い方の端部までの長さである。ｋは係数である。
Ａ＝ｋＸＬ     ・・・  （式１）
【００１８】
（式１）の係数ｋは、０．５〜１．０が最適の範囲であり、この範囲の中で０．８５が最適値である。
【００１９】
発光部５は、プリント基板３とレンズ部７で覆って、発光部５から発光する光を周囲に漏らさない構造としている。
【００２０】
レンズ部７とプリント基板３との空間は、発光部５から発光する光をレンズ部７から照射する時に、光の輝度の偏りを低減するためのものである。
【００２１】
本発明の携帯電子機器の表示部構造によれば、発光体と筐体表面の距離が離れている場合でも、防水と防塵機能を確保し、かつ発光体の光をレンズ部を介して筐体表面から確実に認識でき、更にレンズ部の取り付けが容易である。
【００２２】
以上本発明について詳細に説明したが、本発明は、ここに記載された携帯電子機器の表示部構造に限定されるものではなく、上記以外の電子機器にも広く適用することができることは云うまでもない。
【符号の説明】
【００２３】
１：携帯通信機、２：表示部、３：プリント基板、５：発光部、７：レンズ部、８：防水用凸部、１０：傾き防止用凸部。
【図１】
2012238954.tif 000003
【図２】
2012238954.tif 000004
【図３】
2012238954.tif 000005
(57)【要約】【課題】停電時等に照明を強く求められる天井吊下げ型照明の直下を簡便な器具で照明する。【解決手段】  天井吊下げ型照明の常夜灯ソケットを取付け機構と二次電池充電電源とし、停電時などに天井吊下げ型照明の直下を照明する。【選択図】図２
2012238560.tif 000002
【特許請求の範囲】
【請求項１】
天井吊り下げ型照明器具（以下『ペンダント灯』と呼ぶ）の紐式スイッチの紐を通すスリット又は穴を有し、ペンダント灯の常夜灯ソケットに取り付け、常夜灯ソケットに電源が供給されている時には通常の常夜灯として作動すると伴に、二次電池を充電し、電源断時には照度センサーと人体センサーにより、低照度環境で人体動作時に一定時間のみ発光する充電式非常灯。
【請求項２】
ペンダントの引掛け兼電源プラグと天井側の引掛けコンセントの間に接合分岐器を設け、この接合分岐器から充電電源と停電情報を得る、請求項１の非常灯。
【請求項３】
請求項２の接合分岐機に振動センサーを設け、地震情報を得る請求項２の非常灯。
【発明の詳細な説明】
【技術分野】
【０００１】  本発明は既存の天井吊下げ式照明器具（以下『ペンダント灯』と呼ぶ）に後付けする非常灯に関する。
【背景技術】
【０００２】  従来の小型非常灯は１００ｖ商用電源コンセントレセプタクルに着装される場合が多く、一般家庭ではコンセントが床に近い位置にあり、足元の照明が主であった。【０００３】  一般家庭の生活を維持するに不可欠な照明は、ペンダント灯に拠る場合が多く、その真下の部分への非常時照明が求められた。
【先行技術文献】
【特許文献】
【０００４】
【特許文献１】特開平０８−３３００３４
【特許文献２】特開２００８−０９８１０２
【特許文献３】特開平０８−２８８０７３
【発明の概要】
【発明が解決しようとする課題】
【０００５】  停電時等に照明を強く求められるペンダント灯の直下を簡便な器具で照明する。
【課題を解決するための手段】
【０００６】  ペンダント灯の常夜灯ソケットを取付け機構と二次電池充電電源として利用し、停電時などにペンダント灯の直下を照明する。【０００７】  上記のみの状態では、本考案の非常灯は電源断が商用電源の停電に拠るものか、ペンダント灯のスイッチに拠るものか判別できない。
ペンダント灯のスイッチオフに常時点灯すると、二次電池電源を無益に消耗する。
そこで、照度センサーと人体検出センサーとタイマーを持つことにより、低照度で人体動作検出時に発光し、二次電池の消耗を防ぐ。【０００８】  更にペンダントの引掛け兼電源コンセントとプラグの間に接合分岐器を挿入し、充電の電源の確保するとともに停電情報により不要な発光を抑え、二次電池の消耗を防ぐ。【０００９】  更に、上記の接合分岐部に設けた振動センサー信号に拠り、地震発生時にも発光する。
【発明の効果】
【００１０】  非常灯の取付けにペンダント灯の常夜灯ソケットを用いる事に拠って、非常灯に必要な機能を容易に確保できる。
【図面の簡単な説明】
【００１１】
【図１】ペンダント灯に着装した請求項３の全体図ブロック図
【図２】ペンダント灯に着装した請求項３の全体図斜視図
【発明を実施するための形態】
【００１２】  接合分岐器を設けず、非常灯発光部に二次電池とその充電回路・照度センサー・人体センサー等を内臓させる事も可能ではあるが、接合分岐器内に大容量二次電池を収納する事が望ましい。
【００１３】  非常灯光源を想定される生活シーンに合わせた光量に調整する。
地震発生時は最大光量、常夜灯は最小光量、人体動作検出時は中間光量とするなどのモード設定のスイッチも必要と考えられる。
【００１４】  発光体をペンダント灯の常夜灯ソケットへの取付けネジとペンダント灯のスイッチ紐との距離はペンダント灯ごとに異なるため、此れを吸収する機構が必要になる。
スイッチ紐をスリットで回避する場合はこの機構はいらない。
【産業上の利用可能性】
【００１５】本発明の全ての要素は極めてありふれており、現時点で大量生産・流通・消費されている。
【符号の説明】
【００１６】１        天井側の引掛け電源コンセントリセプタクル
２        本考案の分岐接合器
３        ペンダント灯側の引掛けコンセント
４        ペンダント灯吊下げ電源線
５        ペンダント灯ランプシェード
６        本考案の非常灯発光部
７        非常灯発光部取付けネジ
８        ペンダント灯の蛍光灯等の発光体
９        ペンダント灯のスイッチ紐
１０      接合分岐器と発光体との配線
【図１】
2012238560.tif 000003
【図２】
2012238560.tif 000004
(57)【要約】【課題】  正面と背面に扉を備えたキャビネットにおいて、箱体を少数の部品で高度に堅牢化できる補強構造を提供する。【解決手段】  キャビネット１は、電気機器を収納する箱体２と正面扉３と背面扉４とを備える。箱体２の内側四隅に、上下左右４本の補強部材１１を正面扉３と背面扉４との間を延びるように配置する。各補強部材１１に同一設計の板金部品を使用する。板金部品に、箱体２に固定される固定部と、マウントレール５を取り付けるレール取付部と、吊りボルト６を取り付けるボルト取付部とを加工する。【選択図】        図１
2012238757.tif 000002
【特許請求の範囲】
【請求項１】
電気機器を収納する箱体に正面扉と背面扉とを備えたキャビネットにおいて、
前記箱体の内側に上下左右４本の補強部材を正面扉と背面扉との間を延びるように配置し、各補強部材に同一設計の板金部品を使用し、該板金部品に、箱体に固定される固定部と、マウントレールを取り付けるレール取付部と、吊りボルトを取り付けるボルト取付部とを設けたことを特徴とする補強構造。
【発明の詳細な説明】
【技術分野】
【０００１】
本発明は、電気機器を収納する箱体の正面と背面に扉を備えたキャビネットの補強構造に関する。
【背景技術】
【０００２】
従来、内側に収納した電気機器を箱体の前後から保守点検できるように、箱体の正面と背面の両方に扉を設けたキャビネットが知られている。例えば、特許文献１には、３段重ねのユニット枠により本体枠を構成し、本体枠に正面扉と背面扉を取り付けた配電盤用キャビネットが記載されている。
【先行技術文献】
【特許文献】
【０００３】
【特許文献１】特開平８−１２６１２９号公報
【発明の概要】
【発明が解決しようとする課題】
【０００４】
ところで、正面扉と背面扉を備えたキャビネットでは、箱体の横方向の強度が低下する。特に、扉開口部の間口を広くするために支柱を省いたり、箱体の左右両側にマウントレールを立設したりして構成されたキャビネットには、高度の補強構造が求められるという課題があった。
【０００５】
そこで、本発明の目的は、正面扉と背面扉を備えたキャビネットにおいて、箱体を少数の部品で高度に堅牢化できる補強構造を提供することにある。
【課題を解決するための手段】
【０００６】
上記課題を解決するために、本発明の補強構造は、電気機器を収納する箱体に正面扉と背面扉を設けたキャビネットにおいて、箱体の内側に上下左右４本の補強部材を正面扉と背面扉との間を延びるように配置し、各補強部材に同一設計の板金部品を使用し、該板金部品に、箱体に固定される固定部と、マウントレールを取り付けるレール取付部と、吊りボルトを取り付けるボルト取付部とを設けたことを特徴とする。
【発明の効果】
【０００７】
本発明の補強構造によれば、箱体の四隅に配置する補強部材に同一設計の板金部品を使用し、この板金部品に箱体への固定部と、マウントレールおよび吊りボルトの取付部とを設けたので、部品の共用化を促進し、少数の部品で箱体に高度の堅牢性を付与できるという効果がある。
【図面の簡単な説明】
【０００８】
【図１】本発明の一実施形態を示すキャビネット補強構造の斜視図である。
【図２】図１の補強構造に使用される補強部材を示す斜視図である。
【図３】図１の補強構造を示す正面図である。
【図４】同補強構造を示す右側面図である。
【図５】同補強構造を示す平面図である。
【図６】同補強構造を示す底面図である。
【発明を実施するための形態】
【０００９】
以下、本発明の実施形態を図面に基づいて説明する。図１に示すように、この実施形態のキャビネット１は電気機器を収納する箱体２を備え、箱体２の正面に正面扉３が設けられ、箱体２の背面に背面扉４が設けられている。
【００１０】
箱体２の内側には、上下左右４本の補強部材１１が正面扉３と背面扉４との間を前後に延びるように配置されている。上側２本の補強部材１１は箱体２の天井部に固定され、下側２本の補強部材１１が箱体２の底部に固定され、上下の補強部材１１の間に前後２本のマウントレール５が左右２組立設されている。
【００１１】
各補強部材１１には、同一寸法形状の板金部品が使用されている。この板金部品は、図２に示すように、箱体２の天井部または底部に接合する水平部１１ａと、箱体２の側面部に接合する垂直部１１ｂと、両者の間で直角に折れ曲がる折曲部１１ｃとを備え、向きを変えて箱体１２の四隅に組み付けられる。
【００１２】
図３、図５に示すように、水平部１１ａには、吊りボルト６を取り付けるボルト取付孔１２が形成されている。図３、図４に示すように、垂直部１１ｂには、箱体２の側面部に固定される固定孔１３が形成されている。また、折曲部１１ｃには、マウントレール５の上端および下端部を取り付けるレール取付孔１４が形成されている。
【００１３】
なお、図６に示すように、箱体２の底部に配置される補強部材１１では、水平部１１ａのボルト取付穴１２が固定部として使用され、ボルトまたは溶接等によって箱体２の底部に固定される。
【００１４】
上記構成の補強構造によれば、図１に示すように、４本の補強部材１１を箱体２の四隅に固定し、上下の補強部材１１をマウントレール５で連結することにより、正面扉３と背面扉４を備えたキャビネット１において、特に、横方向の強度を高めることができる。
【００１５】
また、各補強部材１１に同一設計の板金部品を使用し、この部品に吊りボルト６およびマウントレール５の取付部１２，１４と、箱体２への固定部１３を加工したので、部品の共用化を促進し、ごく少数の部品で箱体２を高度に堅牢化できるという利点もある。
【００１６】
なお、本発明は、上記実施形態に限定されるものではなく、発明の趣旨を逸脱しない範囲で、キャビネットの構成や補強部材の形状を適宜に変更して実施することも可能である。
【符号の説明】
【００１７】
１    キャビネット
２    箱体
３    正面扉
４    背面扉
５    マウントレール
６    吊りボルト
１１    補強部材
１２    ボルト取付孔
１３    固定孔
１４    レール取付孔
【図１】
2012238757.tif 000003
【図２】
2012238757.tif 000004
【図３】
2012238757.tif 000005
【図４】
2012238757.tif 000006
【図５】
2012238757.tif 000007
【図６】
2012238757.tif 000008
(57)【要約】【課題】裸眼３Ｄディスプレイは、３Ｄ映像再生装置より送られた３Ｄ映像を、液晶ディスプレイの手前に特殊なフィルターをおくことで、右目と左目に異なった視野の映像を送り立体に見える効果を得ているが、立体に見える為には画面より３ｍほどの距離が必要（４２インチの場合）で、近すぎると映像がぼやけてしまい立体に見えにくくなってしまう。またこの距離は画面が大きくなれば伸びてしまい（７０インチの場合約５ｍ）裸眼３Ｄディスプレイの大きな課題となっている。【解決手段】  裸眼３Ｄディスプレイ正面に水の入った水槽を置く事で、レンズ効果がうまれ、通常３ｍ必要（４２インチの場合）だった焦点距離を、約１．５ｍまで短くする事が出来た。また、画面と観賞者の間に、水の入った水槽が入る事により、観賞者は自然に画面との距離が取れ、画面の粗さも解消され、より見やすい画質で観賞する事が出来る様になった。【選択図】図１
2012083687.tif 000002
【特許請求の範囲】
【請求項１】
裸眼３Ｄディスプレイ正面に、水の入った水槽を置く事で、水槽越しに３Ｄ画像を観賞する事を特徴とした３Ｄディスプレイ焦点距離改良システム。
【請求項２】
特殊フィルター本体に水槽を一体化させ、水の入る仕組みを持ったフィルターを液晶モニター等に装備する事を特徴とする請求項１に記載の３Ｄディスプレイ焦点距離改良システム。
【発明の詳細な説明】
【技術分野】
【０００１】  本考案は、水槽を通して３Ｄディスプレイを見る事で、水のレンズ効果により焦点距離を短くする事を目的としたシステムである。
【背景技術】
【０００２】  裸眼３Ｄディスプレイを見る場合、その構造上、立体に見える為の距離があり、通常で画面より３ｍくらい（４２インチの場合）を必要とする。これを解決する為にディスプレイ正面に水の入った水槽を置く事で目的を達成する。
【先行技術文献】
【特許文献】
【０００３】  海水魚、淡水魚等を飼育する水槽の背面に液晶画面等のモニターを設け、その画面に映像を映し出す事が出来る特徴を持った水槽はあった。ただ、このシステムは水槽と映像の一体感を目的とするもので本考案の目的である焦点距離の改良ではない。
【特許文献１】実用新案登録第３０７８７１４号
【発明の概要】
【発明が解決しようとする課題】
【０００４】  裸眼３Ｄディスプレイは、３Ｄ映像再生装置より送られた３Ｄ映像を、液晶ディスプレイの手前に特殊なフィルターをおくことで、右目と左目に異なった視野の映像を送り立体に見える効果を得ているが、立体に見える為には画面より３ｍほどの距離が必要（４２インチの場合）で、近すぎると映像がぼやけてしまい立体に見えにくくなってしまう。またこの距離は画面が大きくなれば伸びてしまい（７０インチの場合約５ｍ）裸眼３Ｄディスプレイの大きな課題となっている。【０００５】  本考案は、裸眼３Ｄディスプレイの焦点距離を短くすることを目的としている。
【課題を解決するための手段】
【０００６】  裸眼３Ｄディスプレイ正面に、水の入った水槽を置く事で、水槽越しに３Ｄ画像を観賞する事を特徴としている。
【発明の効果】
【０００７】  本考案は以上のように、裸眼３Ｄディスプレイ正面に水の入った水槽を置く事で、レンズ効果がうまれ、通常３ｍ必要（４２インチの場合）だった焦点距離を、約１．５ｍまで短くする事が出来た。また、画面と観賞者の間に、水の入った水槽が入る事により、観賞者は自然に画面との距離が取れ、画面の粗さも解消され、より見やすい画質で観賞する事が出来る様になった。
【図面の簡単な説明】
【０００８】
【図１】本考案の実施の形態をしめす説明図である。
【発明を実施するための形態】
【０００９】以下、本考案の形態を図面に基づいて説明する。
水槽１は正面板２を透明とした水槽１の背面板３の外側に、正面板２側より映像を見る事が出来る様に、裸眼３Ｄディスプレイ４を設置し、３Ｄ映像再生装置５により特殊加工された３Ｄ映像を映し出し、観賞者６は、水の入った水槽越しに３Ｄ映像を見る事で本考案の効果を得るものである。
【符号の説明】
【００１０】１・・・水槽    ２・・・正面板    ３・・・背面板
４・・・裸眼３Ｄディスプレイ    ５・・・３Ｄ映像再生装置    ６・・・観賞者
【図１】
2012083687.tif 000003
(57)【要約】【課題】ダイレクトメールや宅配物のラベルには個人を特定することのできる個人情報が記載されているが、これを判読不能にし、またこれを破棄するための用具を提供する。【解決手段】ラベルはがし具に装着した紙製の粘着テープの粘着面を封筒に貼られている宛名ラベルに押し当て、紙製のラベル部分をラベルはがし具に粘着して剥がし取り、手で容易に破棄できる可燃物に変換させる。【選択図】図１
2012083683.tif 000002
【特許請求の範囲】
【請求項１】
宛名ラベルあるいは印字された情報を剥がし取り破棄する目的で、粘着テープを利用したラベルはがし具。
【請求項２】
宛名ラベルあるいは印字された情報を剥がし取った際、この情報を判読不能にするために粘着テープの粘着面に紋様や文字あるいは数字を印刷したラベルはがし具。
【発明の詳細な説明】
【技術分野】
【０００１】本発明は、個人情報保護のために、ダイレクトメールや宅配物の宛名ラベル等に記載される個人情報を紙テープに転写し破棄しやすくするラベルはがし具に関するものである。
【背景技術】
【０００２】ダイレクトメールや定期購読の雑誌などの宛名ラベルの個人情報を保護するため、個人用のシュレッダーで個人情報を裁断する方法やスタンプで個人情報を隠すなどの手段が取られている。
しかし封筒にアクリルやビニールを使用したものが多く配達され、シュレッダーを利用する事も出来ず、スタンプなどで宛名を隠そうとしても完全に判読不能にすることは難しい。
【発明の開示】
【発明が解決しようとする課題】
【０００３】近年名簿管理等がパソコン操作で簡単に行なうことができるため、封筒や包にラベルを張って送付されてくるダイレクトメールや宅配物が多い。このラベルには氏名・住所・顧客ナンバー等個人を特定することのできる個人情報が記載されているが、これを判読不能にするためには細かく裁断する必要がある。
しかし最近水に強く、破れにくいポリ製の封筒がダイレクトメール用として多く用いられ、裁断しにくくラベルを手で剥がし取ろうと試みても、ぴったり張り付いたラベルは容易に剥がすことが出来ない。
本発明はこれらの課題を解消するためになされたものである。
【課題を解決するための手段】
【０００４】ラベルはがし具に装着した紙製の粘着テープの粘着面を封筒に貼られている宛名ラベルに押し当て、紙製のラベル部分をラベルはがし具に粘着して剥がし取り、手で容易に破棄できる可燃物に変換させる。
【発明の効果】
【０００５】（イ）宛名ラベルに記載された個人情報を判読不能にすることができる。
（ロ）剥がし取った宛名ラベルを手で裁断する事が出来る。
（ハ）ポリ製の封筒に貼られた紙製の宛名ラベルを剥がし取ることで可燃物として処分することができる。
【発明を実施するための最良の形態】
【０００６】以下本発明の実施の形態を説明する。
本発明のラベルはがし具の実施形態は、ロール状の紙製の粘着テープを装着し、粘着面を封筒に貼られている宛名ラベルに押し当てやすい構造を具備し、封筒に貼られたラベルを粘着して剥がし取った後、ラベルを粘着した粘着テープを切除し易い構造が望ましい。粘着テープは容易に手でちぎれる程度の質の紙製が望ましく、不燃物として処理できるよう、紙テープおよびこれに塗布する粘着剤も焼却の際、有害ガスを排出しないものが望ましい。
粘着テープの幅は１回の使用で複数行の情報破棄が利便性を感じさせるが、幅が大きすぎた場合、操作性を損ねるため、３０ｍｍ前後の幅がよい。
【図面の簡単な説明】
【０００７】
【図１】本発明の全体図
【符号の説明】
【０００８】１    ラベルはがし具本体
２    ロール状の紙製粘着テープ
３    粘着テープの粘着面
４    粘着テープを切除するカッター
５    粘着テープを固定する留め具
６    粘着テープを目的物に押し当て剥がし取る部位
【図１】
2012083683.tif 000003
(57)【要約】【課題】  本発明は、パーソナルカラーメガネフレームを一組１０枚にし、異なったカラー４組を１セット４０枚にしたことを特徴とするパーソナルカラーメガネフレームに関するものである。【解決手段】  メガネフレーム本体（１）の一方に取っ手（２）を設け、取っ手（２）に穴（３）を設け、顔に当てた時の良い効果を書いた欄（４）を設け、フォーシーズンの名前と番号を書いた欄（５）を設けたパーソナルカラーメガネフレームを一組１０枚にし、異なったカラー４組を１セット４０枚にしたことを特徴とするパーソナルカラーメガネフレーム。【選択図】図１
2012083689.tif 000002
【特許請求の範囲】
【請求項１】
メガネフレーム本体（１）の一方に取っ手（２）を設け、取っ手（２）に穴（３）を設け、顔に当てた時の良い効果を書いた欄（４）を設け、フォーシーズンの名前と番号を書いた欄（５）を設けたパーソナルカラーメガネフレームを一組１０枚にし、異なったカラー４組を１セット４０枚にしたことを特徴とするパーソナルカラーメガネフレーム。
【発明の詳細な説明】
【技術分野】
【０００１】  本発明は、パーソナルカラーメガネフレームを一組１０枚にし、異なったカラー４組を１セット４０枚にしたことを特徴とするパーソナルカラーメガネフレームに関するものである。
【背景技術】
【０００２】  従来、メガネ店に来店した顧客に似合ったメガネフレームをパーソナルカラーの考え方に基づいて選ぶには、２０枚の布を使ってパーソナルカラーの診断をして、その人にあったフレームを選んでいた。
【発明の概要】
【発明が解決しようとする課題】
【０００３】  そのため、次のような問題点があった。
（イ）メガネ店に来店した顧客を２０枚の布（ドレープ）で時間をかけてパーソナルカラ    ー診断するには、時間がかかった。
（ロ）パーソナカラーリストが常駐しているわけではないので、予約制などにして診断を    行わなければならなかった。
本発明は、これらの問題点を解決するためになされたものである。
【課題を解決するための手段】
【０００４】  メガネフレーム本体（１）の一方に取っ手（２）を設け、取っ手（２）に穴（３）を設け、顔に当てた時の良い効果を書いた欄（４）を設け、フォーシーズンの名前と番号を書いた欄（５）を設けたパーソナルカラーメガネフレームを一組１０枚にし、異なったカラー４組を１セット４０枚にする。
以上を特徴とするパーソナルカラーメガネフレームである。
【発明の効果】
【０００５】  その結果、次の効果がある。
（イ）従来時間がかかっていた診断が、短時間でパーソナルカラーの考え方を取り入れた    フレーム選びができるようになる。
（ロ）パーソナルカラーリストが不在でもパーソナルカラー診断に近い結果に導けるよう    にした。
（ニ）パーソナルカラーリストがいなくても２０枚のドレープの替わりにメガネフレーム    に４０色の色をつけてパーソナルカラー診断に近い結果に導ける。
【図面の簡単な説明】
【０００６】
【図１】  本発明のパーソナルカラーメガネフレームの１枚の説明図である。
【図２】  本発明のパーソナルカラーメガネフレームを１組、１０枚のした説明図である。
【図３】  本発明の異なったカラー４組を１セット４０枚にした説明図である。
【発明を実施するための形態】
【０００７】  以下、本発明の実施の形態について説明する。
メガネフレーム本体（１）の一方に取っ手（２）を設ける。
取っ手（２）に穴を設け、顔に当てた時の良い効果を書いた欄を設け、フォーシーズンの名前と番号を書いた欄を設けたパーソナルカラーメガネフレームを一組１０枚にし、異なったカラー４組を１セット４０枚にする。
以上を特徴とするパーソナルカラーメガネフレームである。
本発明は以上のような構成である。
これを使用するときは、取っ手（２）を持ちメガネのように顔に当て、フレームの色が顔に与える影響をみる。
取っ手（２）に書いてある顔に当てた良い効果を参考にし、どのグループの色が顔に良い効果をもたらすかを見るものである。
そして、そのグループの属性に近いメガネフレームを選ぶのに役立つものである。
使い方を初級、中級、上級に分け、初級は顧客が楽しみながらメガネフレームを使えるようにし、中級は販売員向けに、顧客とのコミュニケーションツールとしてルールに沿って診ていくと似合う傾向の色のグループが分かるようになっている。
上級はカラリスト向けにそれぞれのグループの属性を比較させることにより診断し、顔に与える良い効果を持つ色のグループを導き出すものである。
【符号の説明】
【０００８】１  メガネフレーム本体
２  取っ手
３  穴
４  顔に当てた時の良い効果を書いた欄
５  フォーシーズンの名前と番号を書いた欄
【図１】
2012083689.tif 000003
【図２】
2012083689.tif 000004
【図３】
2012083689.tif 000005